(57)【特許請求の範囲】
【請求項１】
携帯端末装置のケースに形成された窓部に取り付けられる水没判定シールユニットにおいて、
耐水性の透明材料からなり、前記窓部を封止するように前記ケースの内側に接着される透明シートと、
吸水性を有する透明材料からなり、前記透明シートの反ケース側の面に接着されるとともに、反透明シート側の面に水溶性のインクにより印刷が施される水没判定シールと、
を有することを特徴とする水没判定シールユニット。
【請求項２】
前記水没判定シールは、トレーシングペーパーであることを特徴とする請求項１記載の水没判定シールユニット。
【請求項３】
携帯端末装置のケースに形成された窓部に取り付けられる水没判定シールユニットにおいて、
耐水性の光透過性部材からなり、前記窓部を封止するように前記ケースの内側に接着されるとともに、反ケース側の面に水溶性のインクにより印刷が施される水没判定シールを、
有することを特徴とする水没判定シールユニット。
【請求項４】
携帯端末装置のケースに形成された窓部に取り付けられる水没判定シールユニットにおいて、
耐水性の着色された光透過性部材からなり、前記窓部を封止するように前記ケースの内側に接着されるとともに、反ケース側の面に水溶性のインクにより印刷が施される水没判定シール、
を有することを特徴とする水没判定シールユニット。
【請求項５】
前記水没判定シールの前記反ケース側の面の全面に前記インクが印刷されていることを特徴とする請求項４記載の水没判定シールユニット。
【請求項６】
携帯端末装置のケースに形成された窓部に取り付けられる水没判定シールユニットにおいて、
耐水性の光透過性部材からなり、前記窓部を封止するように前記ケースの内側に接着されるとともに、反ケース側の面に耐水性の光透過性のインクによる印刷が施され、さらにその上に水溶性のインクにより印刷が施される水没判定シール、
を有することを特徴とする水没判定シールユニット。
【請求項７】
前記水没判定シールの前記反ケース側の面の全面に前記耐水性のインクが印刷され、その上の全面に水溶性のインクが印刷されていることを特徴とする請求項６記載の水没判定シールユニット。
【発明の詳細な説明】
【０００１】
【発明の属する技術分野】
本発明は携帯電話などの携帯端末装置に取り付けられる水没判定シールユニットに関し、特に携帯端末装置のケースに形成された窓部に取り付けられる水没判定シールユニットに関する。
【０００２】
【従来の技術】
携帯電話などの携帯端末装置では、水の浸入による故障を判別できるようにするため、携帯端末装置のケースに水没判定シールを取り付けている。
【０００３】
図８は従来の水没判定シールの携帯電話への取り付け構造を示す断面図である。従来、携帯電話では、ケース７０の一部に窓部７１が形成されている。この窓部７１部分には、窓部７１を封止するように、透明のシート７２が接着されている。シート７２は、耐水性の部材で形成されており、窓部７１から水が直接浸入するのを防いでいる。このシート７２のケース内側面には、水没判定シール７３が両面テープなどにより接着されている。水没判定シール７３は、上質紙などを材料とするシール７３１上に、水溶性のインク７３２により帯状の印刷を施したものである。
【０００４】
このような構成により、水没判定シール７３は、携帯電話が水の中に入れられてケース内に水が浸入すると、その水によってインク７３２が滲む。これを窓部７１を介して水没判定シール７３のインク７３２の状態を見ることにより、携帯電話が水の中に入れられたことを確認することができる。
【０００５】
しかし、このような構成の水没判定シール７３では、シール７３１の内側面に印刷がなされているため、シール７３１が厚い場合には外部からインク７３２の状態が見にくいという問題があった。そこで、これを解決するため、図９に示す構成のものがある。
【０００６】
図９は従来の水没判定シールの他の取り付け構造を示す断面図である。この例では、水没判定シール７３のシール７３１を、水溶性のインク７３２による印刷がなされた面をシート７２側に向けて、印刷基板７４側に貼り付けている。これにより、窓部７１を介して見たときに、インク７３２の滲み具合を容易に確認することができる。
【０００７】
【発明が解決しようとする課題】
しかし、図９の構成では、携帯電話を組み立てる際、シート７２を取り付ける工程と、水没判定シール７３を貼り付ける工程との２工程を要する。したがって、作業効率が悪いという問題があった。
【０００８】
本発明はこのような点に鑑みてなされたものであり、取り付けのための作業効率がよく、かつ水没の判定を容易に行うことのできる水没判定シールユニットを提供することを目的とする。
【０００９】
【課題を解決するための手段】
本発明では上記課題を解決するために、携帯端末装置のケースに形成された窓部に取り付けられる水没判定シールユニットにおいて、耐水性の透明材料からなり、前記窓部を封止するように前記ケースの内側に接着される透明シートと、吸水性を有する透明材料からなり、前記透明シートの反ケース側の面に接着されるとともに、反透明シート側の面に水溶性のインクにより印刷が施される水没判定シールと、を有することを特徴とする水没判定シールユニットが提供される。
【００１０】
このような構成の水没判定シールユニットでは、携帯端末装置のケース内に水が浸入すると、水没判定シールは吸水性を有するため、印刷部分が滲む。また、水没判定シールは透明材料からなるので、窓部から透明シートを介して見ることにより、インクの滲み具合を容易に確認できる。
【００１１】
また、本発明の水没判定シールユニットは、窓部を封止する透明シートと水没判定シールとを一体としているので、携帯端末装置のケースに取り付ける際には、１工程で済む。
【００１２】
【発明の実施の形態】
以下、本発明の実施の形態を図面を参照して説明する。
図２は本発明の第１の形態の水没判定シールユニットが装着される携帯電話の上側ケースの外観を示す平面図である。また、図３は図２のＸ１−Ｘ１線に沿う断面図である。携帯電話の上側ケース１の一部には、ケース内部と外部とを連通するように窓部２が形成されている。ケース１の内側には、図３に示すように、窓部２を封止するように水没判定シールユニット１０が取り付けられている。この状態で窓部２を外側から見ると、後述するライン１４ａの状態を確認することができる。
【００１３】
次に、水没判定シールユニット１０の具体的な構成について説明する。
図１は第１の形態の水没判定シールユニット１０の具体的な構成を示す斜視図である。水没判定シールユニット１０は、上から順に、両面テープ１１、透明シート１２、両面テープ１３、水没判定シール１４が積層されている。両面テープ１１の内側には、窓部２とほぼ同じ大きさの開口部１１ａが形成されている。透明シート１２は、耐水性の透明材料で構成されている。この透明シート１２の上側ケース１と反対側の面には、両面テープ１３を介して水没判定シール１４が貼り付けられている。この両面テープ１３には、透明のタイプの両面テープが使用されている。
【００１４】
水没判定シール１４には、吸水性および透明性を有する材料、例えばトレーシングペーパーが使用されている。この水没判定シール１４の両面テープ１３と反対側の面には、水溶性のインクを用いてライン１４ａが印刷されている。
【００１５】
このような構成の水没判定シールユニット１０は、両面テープ１１を図２および図３で示した上側ケース１の窓部２の内側面から接着する。これにより、透明シート１２によって窓部２を封止することができる。水没判定シールユニット１０が装着された携帯電話内に水が浸入すると、水没判定シール１４のライン１４ａが滲む。
【００１６】
本形態の水没判定シール１４は、透明性を有するトレーシングペーパーで構成されているので、ライン１４ａの状態を、図２に示した窓部２側から容易に見ることができる。ライン１４ａが滲んでいれば、携帯電話が水没した可能性が高いと判定することができる。
【００１７】
また、本形態の水没判定シールユニット１０では、窓部２を封止する透明シート１２と水没判定シール１４が一体なので、携帯電話に取り付ける際には、１工程で済む。よって、携帯電話の製造コストが低下する。
【００１８】
次に、本発明の第２の形態について説明する。
図４は第２の形態の水没判定シールユニットの具体的な構成を示す斜視図である。本形態の水没判定シールユニット２０は、第１の形態の水没判定シールユニット１０と同様に、上側ケース１の窓部２の内側に取り付けられるものとする。この水没判定シールユニット２０は、水没判定シールとしての透明シート２２の一方の面に両面テープ２１を貼り付け、他方の面に水溶性のインクによりライン２２ａを印刷することにより、概ね形成されている。両面テープ２１の内側には、窓部２とほぼ同じ大きさの開口部２１ａが形成されている。透明シート２２は、耐水性の透明または半透明の材料、例えばポリエステルで構成されている。
【００１９】
このような構成の水没判定シールユニット２０は、両面テープ２１側を窓部２側に向けて上側ケース１に貼り付ける。これにより、透明シート２２によって窓部２を封止することができる。この水没判定シールユニット２０が装着された携帯電話内に水が浸入すると、水溶性のインクで印刷されたライン２２ａが水に溶けて透明シート２２から剥がれる。すると、窓部２から見たときの透明シート２２の色が正常時と異なるので、携帯電話が水没した可能性が高いと判定することができる。
【００２０】
本形態の水没判定シールユニット２０は、透明シート２２の各面にそれぞれ両面テープ２１、ライン２２ａを施すだけなので、製造工程が少なくて済む。よって、水没判定シールユニットの製造コストが低下する。
【００２１】
次に、本発明の第３の形態について説明する。
図５は第３の形態の水没判定シールユニットの具体的な構成を示す斜視図である。本形態の水没判定シールユニット３０は、第１の形態の水没判定シールユニット１０と同様に、上側ケース１の窓部２の内側に取り付けられるものとする。この水没判定シールユニット３０は、水没判定シールとしての半透明シート３２の一方の面に両面テープ３１を貼り付け、他方の面にインク３３を印刷することにより概ね形成されている。両面テープ３１の内側には、窓部２とほぼ同じ大きさの開口部３１ａが形成されている。
【００２２】
半透明シート３２は、耐水性の半透明の材料、例えばポリエステルで構成されている。この半透明シート３２は、例えばインク３３と異なる色で、かつ水没しても色落ちしないように着色されている。半透明シート３２の両面テープ３１と反対側の面には、水溶性のインク３３がほぼ全面に印刷されている。
【００２３】
このような構成の水没判定シールユニット３０は、両面テープ３１側を窓部２側に向けて上側ケース１に貼り付ける。これにより、半透明シート３２によって窓部２を封止することができる。この水没判定シールユニット３０が装着された携帯電話内に水が浸入すると、水溶性のインク３３が水に溶けて、色調が変化する。すると、窓部２から見たときの半透明シート３２の色が正常時と異なるので、携帯電話が水没した可能性が高いと判定することができる。この水没の度合いが高いほどインク３３がよく溶け、最終的には完全に剥がれて半透明シート３２の色になる。したがって、この色の状態を見ることにより、水没の度合いを知ることができる。
【００２４】
また、本形態の水没判定シールユニット３０は、半透明シート３２のほぼ全面にインク３３を印刷したので、印刷ずれの心配がない。したがって、加工性がよい。
【００２５】
次に、本発明の第４の形態について説明する。
図６は第４の形態の水没判定シールユニットの具体的な構成を示す斜視図である。本形態の水没判定シールユニット４０は、第１の形態の水没判定シールユニット１０と同様に、上側ケース１の窓部２の内側に取り付けられるものとする。この水没判定シールユニット４０では、水没判定シールとしての透明シート４２の一方の面に両面テープ４１を貼り付け、他方の面に耐水性（例えば油性）の半透明インク４３をほぼ全面に印刷されている。また、半透明インク４３には、水溶性のインク４４がほぼ全面に印刷されている。
【００２６】
両面テープ４１の内側には、窓部２とほぼ同じ大きさの開口部４１ａが形成されている。透明シート４２は、耐水性の透明または半透明の材料、例えばポリエステルで構成されている。
【００２７】
このような構成の水没判定シールユニット４０は、両面テープ４１側を窓部２側に向けて上側ケース１に貼り付ける。これにより、透明シート４２によって窓部２を封止することができる。この水没判定シールユニット４０が装着された携帯電話内に水が浸入すると、水溶性のインク４４が水に溶けて、半透明インク４３の色調が出てくる。これにより、携帯電話が水没した可能性が高いと判定することができる。この水没の度合いが高いほどインク４４がよく溶け、最終的には完全に剥がれて半透明インク４３の色になる。したがって、この色の状態を見ることにより、水没の度合いを知ることができる。
【００２８】
また、本形態の水没判定シールユニット４０は、透明シート４２のほぼ全面にインク４３，４４を印刷したので、印刷ずれの心配がない。したがって、加工性がよい。
【００２９】
なお、半透明インク４３の代わりに、透明シート４２に光透過性の色で着色した色付きシートを用いても、同様の効果が得られる。
次に、本発明の第５の形態について説明する。
【００３０】
図７は第５の形態の水没判定シールユニットの具体的な構成を示す斜視図である。本形態の水没判定シールユニット５０は、第１の形態の水没判定シールユニット１０と同様に、上側ケース１の窓部２の内側に取り付けられるものとする。この水没判定シールユニット５０では、水没判定シールとしての透明シート５２の一方の面に両面テープ５１を貼り付け、他方の面に、不透明または半透明の油性インク５３が特定の文字５３ａを抜いて印刷されている。また、油性インク５３上には、油性インク５３と同系色の水溶性のインク５４がほぼ全面に印刷されている。
【００３１】
両面テープ５１には、窓部２とほぼ同じ大きさの開口部５１ａが形成されている。透明シート５２は、耐水性の透明または半透明の材料、例えばポリエステルで構成されている。
【００３２】
このような構成の水没判定シールユニット５０は、両面テープ５１側を窓部２側に向けて上側ケース１に貼り付ける。これにより、透明シート５２によって窓部２を封止することができる。この水没判定シールユニット５０が装着された携帯電話内に水が浸入すると、水溶性のインク５４が水に溶けて、油性インク５３の文字５３ａが浮き出てくる。これにより、携帯電話が水没した可能性が高いと判定することができる。
【００３３】
【発明の効果】
以上説明したように本発明では、耐水性の透明材料からなり、窓部を封止するように透明シートをケースの内側に接着し、吸水性を有する透明材料からなる水没判定シールを透明シートの反ケース側の面に接着し、さらに、水没判定シールの反透明シート側の面に水溶性のインクにより印刷を施したので、窓部から透明シートを介して見ることにより、インクの滲み具合を容易に確認できる。
【００３４】
また、本発明の水没判定シールユニットは、窓部を封止する透明シートと水没判定シールとを一体としているので、携帯端末装置のケースに取り付ける際には、１工程で済む。よって、製造コストを低減できる。
【図面の簡単な説明】
【図１】第１の形態の水没判定シールユニットの具体的な構成を示す斜視図である。
【図２】第１の形態の水没判定シールユニットが装着される携帯電話の上側ケースの外観を示す平面図である。
【図３】図２のＸ１−Ｘ１線に沿う断面図である。
【図４】第２の形態の水没判定シールユニットの具体的な構成を示す斜視図である。
【図５】第３の形態の水没判定シールユニットの具体的な構成を示す斜視図である。
【図６】第４の形態の水没判定シールユニットの具体的な構成を示す斜視図である。
【図７】第５の形態の水没判定シールユニットの具体的な構成を示す斜視図である。
【図８】従来の水没判定シールの携帯電話への取り付け構造を示す断面図である。
【図９】従来の水没判定シールの他の取り付け構造を示す断面図である。
【符号の説明】
１  上側ケース
２  窓部
１０  水没判定シールユニット
１１  両面テープ
１２  透明シート
１３  両面テープ
１４  水没判定シール
１４ａ  ライン
【図１】
0003761338.tif 000002
【図２】
0003761338.tif 000003
【図３】
0003761338.tif 000004
【図４】
0003761338.tif 000005
【図５】
0003761338.tif 000006
【図６】
0003761338.tif 000007
【図７】
0003761338.tif 000008
【図８】
0003761338.tif 000009
【図９】
0003761338.tif 000010